(57)【要約】【課題】複数の撮影のパターンでの一連の撮影を容易かつ効率良く実施することができる撮像装置を提供する。【解決手段】特定の撮影対象物について一連のパターン撮影を行うガイド撮影において、一連のパターン撮影の見本となる複数個のガイド画像Ｇ１〜Ｇ３を撮像装置に設けられた背面ＬＣＤ１０に同時に表示する。そして、ユーザーの操作に基づいて、一連のパターン撮影に属する一の撮影を行うために、背面ＬＣＤ１０に同時に表示された複数個のガイド画像Ｇ１〜Ｇ３から、任意のガイド画像を選択してライブビュー画像とともに背面ＬＣＤ１０に表示させて、一の撮影を行う。そして、このような撮影を順次に行うことによって、一連のパターン撮影を行う。【選択図】        図１１
2004215157.tif 000002
【特許請求の範囲】
【請求項１】
撮像装置であって、
一連の見本画像に対応した複数のガイド画像データを一つのガイド画像データ群として記憶する記憶手段と、
対象物についての一連のパターン撮影を行う際に、前記複数のガイド画像データに基づく複数のガイド画像を同時に表示する表示手段と、
を備えることを特徴とする撮像装置。
【請求項２】
請求項１に記載の撮像装置であって、
前記表示手段によって同時に表示される前記複数のガイド画像のうち、ユーザーの操作に基づいて一のガイド画像を選択し、前記一のガイド画像を、前記複数のガイド画像の同時表示とは異なる形式で前記表示手段に表示させる選択手段、をさらに備えることを特徴とする撮像装置。
【請求項３】
請求項２に記載の撮像装置であって、
前記表示手段が、
前記対象物についての一の撮影の際に、前記対象物の現状を示すライブビュー画像、または撮影直後にユーザーが撮影内容を確認するために表示される確認用アフタービュー画像と、前記複数のガイド画像のうち前記一の撮影に対応する特定のガイド画像とを同時に表示することを特徴とする撮像装置。
【請求項４】
請求項１から請求項３のいずれかに記載の撮像装置であって、
前記記憶手段が、
複数のガイド画像データ群を記憶し、
ユーザーの選択操作に基づいて、前記複数のガイド画像データ群のうち、一のガイド画像データ群を、前記一連のパターン撮影のために選択するデータ群選択手段、
をさらに備えることを特徴とする撮像装置。
【請求項５】
撮像装置に含まれるコンピュータによって実行されることにより、前記撮像装置を、請求項１から請求項４のいずれかに記載の撮像装置として機能させるプログラム。
【発明の詳細な説明】
【０００１】
【発明の属する技術分野】
本発明は、撮影時に撮影を案内するためのガイド情報を表示する撮像装置に関する。
【０００２】
【従来の技術】
従来より、ポートレート撮影等の特定の撮影に際し、適当な構図となるようにガイダンスやテンプレートを表示する電子カメラが存在している（例えば、非特許文献１）。
【０００３】
ところで、不動産業や中古車販売業や保険業等では、所定の複数の構図で構成される一連の画像群を備えた資料が要求される場合がある。このような要求に対して、撮影毎に撮影の構図を案内するガイド情報を表示することによって所定の複数の撮影からなる一連の撮影を確実に実施することができる電子カメラが提案されている（例えば、特許文献１）。
【０００４】
このような技術に関する先行技術文献としては、以下のようなものがある。
【０００５】
【特許文献１】
特開２００２−７７６９１号公報
【非特許文献１】
”ベストショット”、［ｏｎｌｉｎｅ］、カシオ計算機株式会社、［平成１４年９月１０日検索］、インターネット＜ＵＲＬ：ｈｔｔｐ：／／ｗｗｗ．ｃａｓｉｏ．ｃｏ．ｊｐ／ＱＶ／Ｉｎｆｏ／ｑｖ＿ｒ４／ｂｅｓｔｓｈｏｔ／＞
【０００６】
【発明が解決しようとする課題】
しかしながら、上記電子カメラは、対象物に対して所定の撮影パターンで一連の撮影を行うに際して、実際の使い勝手等を考慮したようなものではなかった。
【０００７】
本発明は上記課題に鑑みてなされたものであり、所定の複数の撮影を含む一連の撮影を容易かつ効率良く実施することができる撮像装置を提供することを目的とする。
【０００８】
【課題を解決するための手段】
上記の課題を解決するために、請求項１の発明は、撮像装置であって、一連の見本画像に対応した複数のガイド画像データを一つのガイド画像データ群として記憶する記憶手段と、対象物についての一連のパターン撮影を行う際に、前記複数のガイド画像データに基づく複数のガイド画像を同時に表示する表示手段とを備えることを特徴とする。
【０００９】
また、請求項２の発明は、請求項１に記載の撮像装置であって、前記表示手段によって同時に表示される前記複数のガイド画像のうち、ユーザーの操作に基づいて一のガイド画像を選択し、前記一のガイド画像を、前記複数のガイド画像の同時表示とは異なる形式で前記表示手段に表示させる選択手段をさらに備えることを特徴とする。
【００１０】
また、請求項３の発明は、請求項２に記載の撮像装置であって、前記表示手段が、前記対象物についての一の撮影の際に、前記対象物の現状を示すライブビュー画像、または撮影直後にユーザーが撮影内容を確認するために表示される確認用アフタービュー画像と、前記複数のガイド画像のうち前記一の撮影に対応する特定のガイド画像とを同時に表示することを特徴とする。
【００１１】
また、請求項４の発明は、請求項１から請求項３のいずれかに記載の撮像装置であって、前記記憶手段が、複数のガイド画像データ群を記憶し、ユーザーの選択操作に基づいて、前記複数のガイド画像データ群のうち、一のガイド画像データ群を、前記一連のパターン撮影のために選択するデータ群選択手段をさらに備えることを特徴とする。
【００１２】
また、請求項５の発明は、撮像装置に含まれるコンピュータによって実行されることにより、前記撮像装置を、請求項１から請求項４のいずれかに記載の撮像装置として機能させるプログラムである。
【００１３】
【発明の実施の形態】
以下、本発明の実施形態を図面に基づいて説明する。
【００１４】
＜１．第１実施形態＞
＜撮像装置の全体概要＞
図１、図２、および図３は、本発明の実施形態に係る撮像装置１の要部構成を示す図であり、図１は正面図、図２は上面図、図３は背面図に相当する。これらの図は必ずしも三角図法に則っているものではなく、撮像装置１の要部構成を概念的に例示することを主眼としている。なお、本実施形態に係る撮像装置１は、例えば、デジタルカメラの一種であるデジタルスチルカメラ等に相当する。
【００１５】
図１および図２に示すように、撮像装置１は、撮影レンズであるマクロ機能付きレンズ群（以下、単に「レンズ」とも称する）３０を含む撮像部３を備えている。
【００１６】
また、図２に示すように、撮像装置１は、ズーム機能を有しており、ズームリング３３を回転させること等により、撮影倍率の変更を行うことができる。さらに、撮像装置１の上面にはシャッターボタン９が設けられている。
【００１７】
また、撮像装置１の上面には、「電源ＯＦＦ」と「撮影モード」と「再生モード」とを切替設定するモード切替ダイヤル１４が設けられている。撮影モードは、写真撮影を行なうモードであり、再生モードは、メモリカード８等に記憶された撮影画像を再生表示するモードである。
【００１８】
さらに、撮像装置１の上面には、データパネル３６が設けられており、このデータパネル３６において各種モードの設定状態等が表示される。
【００１９】
また、図３に示すように、撮像装置１の背面左方には、液晶ディスプレイ（以下、「背面ＬＣＤ」と称する）１０と電子ビューファインダ（以下、「ＥＶＦ」と略す）２０とが画像を表示する手段として別個に設けられている。背面ＬＣＤ１０およびＥＶＦ２０は、被写体（撮影対象物）の現状を示すリアルタイムの画像（以下、「ライブビュー画像」と称する）の表示、およびメモリカード８等に記憶される撮影画像の再生表示等を行なう。また、背面ＬＣＤ１０およびＥＶＦ２０は、撮影直後においてユーザーが撮影内容（撮影画像）を確認するための画像（以下、「アフタービュー画像」と称する）の表示も行う。
【００２０】
撮像装置１の背面右方には、カーソルボタン（十字キー）Ｕ、Ｄ、Ｌ、Ｒ、および実行ボタン３２を含むコントロールボタン３５が設けられている。このコントロールボタン３５が押下されることで各種操作が行われる。また、撮像装置１の背面には、メニューボタン３７、表示切替ボタン３８、および終了ボタン３９が設けられている。メニューボタン３７が押下されることにより、各種のメニューが背面ＬＣＤ１０等に表示される。また、表示切替ボタン３８が押下されることにより、後述するガイド撮影等において、背面ＬＣＤ１０に表示される画像の表示態様を変更する。さらに、終了ボタン３９が押下されることにより、後述するガイド撮影等において、一の撮影を終了することができる。
【００２１】
また、撮像装置１の側面には、メモリカード８を挿入して装着できるメモリスロット８１が設けられている。
【００２２】
＜撮像装置の機能ブロック＞
図４は、撮像装置１の機能ブロック図である。同図において、ＣＣＤ３０３は、２５６０×１９２０画素を有し、レンズ群３０により結像された被写体の光像を、Ｒ（赤），Ｇ（緑），Ｂ（青）の色成分の画像信号（各画素で受光された画素信号の信号列からなる信号）に光電変換して出力する。タイミングジェネレータ３１４は、ＣＣＤ３０３の駆動を制御するための各種のタイミングパルスを生成するものである。
【００２３】
撮像部３における露出制御は、レンズ駆動部３０６によるレンズ群３０の絞りと、ＣＣＤ３０３の露光量、すなわち、シャッタスピードに相当するＣＣＤ３０３の電荷蓄積時間を調節して行なわれる。ここで、被写体輝度が低輝度時に適切なシャッタスピードが設定できない場合は、ＣＣＤ３０３から出力される画像信号のレベル調整を行なうことにより露光不足による不適正露出が補正される。すなわち、低輝度時は、シャッタスピードと信号処理回路３１３のゲイン調整とを組み合わせて露出制御が行なわれることとなる。
【００２４】
タイミングジェネレータ３１４は、全体制御部２１１から送信される基準クロック基づきＣＣＤ３０３の駆動制御信号を生成するものである。このタイミングジェネレータ３１４は、例えば積分開始／終了（露出開始／終了）のタイミング信号、各画素の受光信号の読出制御信号（水平同期信号，垂直同期信号，転送信号等）等のクロック信号を生成し、ＣＣＤ３０３に出力する。
【００２５】
信号処理回路３１３は、ＣＣＤ３０３から出力される画像信号（アナログ信号）に所定のアナログ信号処理を施すものである。信号処理回路３１３は、ＣＤＳ（相関二重サンプリング）回路とＡＧＣ（オートゲインコントロール）回路とを有する。そして、信号処理回路３１３では、ＣＤＳ回路により画像信号のノイズ低減処理を行ない、ＡＧＣ回路でゲインを調整することにより画像信号のレベル調整を行なう。
【００２６】
Ａ／Ｄ変換器２０５は、画像信号の各画素信号を１２ビットのデジタル信号に変換するものである。Ａ／Ｄ変換器２０５は、タイミング発生回路から入力されるＡ／Ｄ変換用のクロックに基づいて各画素信号（アナログ信号）を１２ビットのデジタル信号に変換する。
【００２７】
ＷＢ（ホワイトバランス）回路２０７は、Ｒ，Ｇ，Ｂの各色成分の画素データのレベル変換を行なうものである。このＷＢ回路２０７は、全体制御部２１１で記憶されるレベル変換テーブルを用いてＲ，Ｇ，Ｂの各色成分の画素データのレベルを変換する。なお、レベル変換テーブルの各色成分のパラメータ（特性の傾き）は、全体制御部２１１によりオートまたはマニュアルで記憶画像毎に設定される。γ補正回路２０８は、画素データの階調を補正するものである。
【００２８】
色変換・色補正回路２３１は、γ補正回路２０８から入力される画像データに対して、例えばＹＣｒＣｂ系に色空間を変換し、色再現性を向上させる色補正を行うものである。
【００２９】
解像度変換回路２３２は、ライブビュー画像を表示するための撮影（以下、「ライブビュー撮影」と称する）を行う際に、ＣＣＤ３０３で取得される画像データを１／８に間引いた画像データ（３２０×２４０画素）を生成する。
【００３０】
画像メモリ２０９は、ＣＣＤ３０３で取得され、上記の画像処理が施された画像データを一時的に記憶するメモリである。画像メモリ２０９は、少なくとも１フレーム分の記憶容量を有している。すなわち、画像メモリ２０９は、ＣＣＤ３０３の画素数に対応する２５６０×１９２０画素分の画素データの記憶容量を少なくとも有し、各画素データが対応する画素位置に記憶されるようになっている。
【００３１】
ＥＶＦ／背面ＬＣＤ切替部２３５は、背面ＬＣＤ１０とＥＶＦ２０との表示切替えを行うものであり、全体制御部２１１の制御に基づいて、背面ＬＣＤ１０およびＥＶＦ２０の表示のＯＮ／ＯＦＦおよび切替えを行う。
【００３２】
撮影モードでは、電源の投入後、撮影モードに設定されて撮影待機状態となると、ＣＣＤ３０３により１／３０（秒）毎に撮像された画像の各画素信号がＡ／Ｄ変換器２０５〜解像度変換回路２３２により所定の信号処理を施された後、全体制御部２１１を介してＥＶＦ／ＬＣＤ切替部２３５に転送され、背面ＬＣＤ１０やＥＶＦ２０に表示される（ライブビュー画像の表示）。これにより、ユーザはＣＣＤ３０３で撮像される被写体像を視認・観察することができる。さらに、撮影画像を取得する本撮影時には、シャッターボタン９の押下操作に基づいて、ＣＣＤ３０３により撮像された画像の各画素信号がＡ／Ｄ変換器２０５〜解像度変換回路２３２により所定の信号処理を施された後、画像メモリ２０９に一時的に記憶するとともに、全体制御部２１１を介してＥＶＦ／ＬＣＤ切替部２３５に転送され、背面ＬＣＤ１０やＥＶＦ２０に表示される（アフタービュー画像の表示）。これにより、ユーザーは撮影結果たる撮影画像を確認することができる。
【００３３】
また、再生モードでは、メモリカード８から読み出された画像が全体制御部２１１で所定の信号処理が施された後、ＥＶＦ／ＬＣＤ切替部２３５に転送され、背面ＬＣＤ１０やＥＶＦ２０に再生表示される。
【００３４】
カードＩ／Ｆ２１２は、メモリスロット８１に装着されるメモリカード８への撮影画像データの書込み及び読出しを行なうためのインターフェースである。このメモリカード８への撮影画像データの読み書きでは、圧縮・伸張部２３６において例えばＪＰＥＧ方式で画像の圧縮・伸張が行われる。なお、撮影画像データをメモリカード８へ記憶する記憶処理時には、全体制御部２１１において、高解像度の撮影画像データ（２５６０×１９２０画素）に基づいて、サムネイル画像データ（８０×６０画素）が生成される。そして、メモリカード８には、圧縮された撮影画像データ、サムネイル画像データ、および撮影条件等を示すタグ情報とを備えて構成されるデータファイルが記憶される。
【００３５】
操作部２５０は、上述したシャッターボタン９、コントロールボタン３５、メニューボタン３７、表示切替ボタン３８、および終了ボタン３９等の各種ボタン、レバー等で構成されている。
【００３６】
シャッターボタン９は、銀塩カメラで採用されているような半押し状態（以下、「Ｓ１状態」と称する）と押し込んだ状態（以下、「Ｓ２状態」と称する）とが検出可能な２段階スイッチになっている。撮影待機状態でシャッターボタン９をＳ１状態にすると、オートフォーカス（ＡＦ）のためのレンズ駆動を開始し、一般的なＡＦ動作が行われる。一方、シャッターボタン９をＳ２状態にすると、ＣＣＤ３０３で取得され画像処理が施された撮影画像データが圧縮・伸張部２３６でデータ圧縮されるとともに、そのサムネイル画像データが全体制御部２１１で生成される。そして、生成された画像データとサムネイル画像データとが、カードＩ／Ｆ２１２を介してメモリカード８に記憶される。
【００３７】
電源２８０は、撮像装置１全体に電力を供給するためのものであり、例えば、ニッケル水素電池等で構成される。そして、電源２８０は、操作部２５０に含まれるモード切替ダイヤル１４によって電源ＯＦＦの状態から「撮影モード」等の各種モードに設定されると、撮像装置１全体に電力を供給する。
【００３８】
データパネル３６は、上述したように、各種モードの設定状態等が表示されるものであり、全体制御部２１１の制御の下で設定された各種モード等がデータパネル３６に表示される。
【００３９】
ガイド情報記憶メモリ２２０は、主に不揮発性の記憶媒体によって構成され、後述するガイド撮影を行うための画像データ（以下、「ガイド画像データ」と称する）を記憶する。ガイド撮影は、特定の撮影対象物について、所定の複数の撮影を含む一連の撮影（以下、「一連のパターン撮影」と称する）を行うものであり、撮影毎に、ガイド画像データに基づいた撮影毎の構図等を案内する見本の画像（以下、「ガイド画像」と称する）が背面ＬＣＤ１０やＥＶＦ２０に表示される。つまり、ガイド情報記憶メモリ２２０が、一連の見本画像（ガイド画像）に対応するガイド画像データを一のデータ群（以下、「ガイド画像データ群」と称する）として記憶する。
【００４０】
また、ガイド情報記憶メモリ２２０には、後述するガイド撮影の撮影パターン毎に、複数種類のガイド画像データ群が記憶される。そして、ガイド情報記憶メモリ２２０には、各撮影パターン毎に複数種類のガイド画像データ群が一つのデータフォルダ内に格納される。さらに、ガイド画像データ群は、各ガイド画像データ群毎に、一つのデータフォルダ（以下、「ガイド画像データフォルダ」と称する）内に記憶される。なお、ガイド撮影については、後程詳述する。
【００４１】
全体制御部２１１は、マイクロコンピュータ（ＣＰＵ）、ＲＡＭ２１１ａおよびＲＯＭ２１１ｂを有しており、上述したカメラの各部材の駆動を有機的に制御して撮像装置１の動作を統括制御する。全体制御部２１１は、ＲＯＭ２１１ｂ等に格納されるプログラムがＣＰＵに読み込まれることによって、各種機能を実現することができる。例えば、後程詳述するガイド撮影については、ＲＯＭ２１１ｂ等に格納されるガイド撮影用のプログラムがＣＰＵに読み込まれることによって、その動作および機能が実現される。
【００４２】
また、全体制御部２１１は、ＡＦ動作を制御する機能、被写体に係る測光動作を行う機能、およびシャッターボタン９の押下に応じて撮影動作の制御を行う機能等の種々の機能を有する。
【００４３】
＜メモリカード内の記憶内容＞
図５は、メモリカード８内の記憶内容を示す図である。なお、図５では、自動車用の一連のパターン撮影によって取得される撮影画像データがメモリカード８内に記憶されている状態を例示している。
【００４４】
図５の左端に示すように、例えば、メモリカード８内には、後述する撮影パターン毎に、撮影画像データを格納するフォルダ（以下、「パターンフォルダ」と称する）が複数記憶されている。なお、ここでは、例えば、３つの撮影パターン（３枚法、６枚法、１２枚法）に対応する３つのパターンフォルダが記憶される。
【００４５】
また、図５に示すように、１つのパターンフォルダには、自動車の種別（１ＢＯＸ、ワゴン、セダン）毎に撮影画像データを格納するフォルダ（以下、「種別毎フォルダ」と称する）が複数記憶される。なお、ここでは、例えば、３つの種別毎フォルダがパターンフォルダ１に記憶される。
【００４６】
また、図５に示すように、１つの種別毎フォルダには、一連のパターン撮影毎に撮影画像データを格納するフォルダ（以下、「撮影画像データフォルダ」と称する）が複数記憶される。なお、ここでは、例えば、ｎ個の撮影画像データフォルダがメモリカード８内に記憶される。
【００４７】
さらに、１つの撮影画像データフォルダには、一連のパターン撮影によって取得される撮影画像データが記憶される。なお、ここでは、例えば、３コマ分のデータファイルが記憶される。そして、１コマ分のデータファイルは、撮影条件等を示すタグ情報と、高解像度の撮影画像データ（２５６０×１９２０画素）と、サムネイル画像データ（８０×６０）とを備えて構成される。
【００４８】
＜ガイド撮影＞
図６は、ガイド撮影の撮影パターンを選択する選択画面（以下、「ガイドパターン選択画面」と称する）を例示する図である。ユーザーによって、メニューボタン３７およびコントロールボタン３５が種々操作されることで、背面ＬＣＤ１０に、ガイドパターン選択画面を表示される。なお、ガイド撮影の撮影パターンは、一連のパターン撮影を構成する撮影数のバリエーションによって決まるものであり、例えば、３枚、６枚、１２枚等の撮影数からなる撮影パターン等がある。ここでは、ユーザーが、コントロールボタン３５のカーソルボタンＵ、Ｄを操作することによって、ガイドパターン選択画面上に表示されるカーソルＫＲを上下に移動させ、実行ボタン３２を押下することで、ガイド撮影の撮影パターンを選択することができる。
【００４９】
このようにしてガイド撮影の撮影パターンが選択されると、全体制御部２１１の制御の下で、各撮影パターンに沿ったガイド撮影の動作フローが開始する。
【００５０】
図７および図８は、ガイド撮影の動作フローを例示するフローチャートである。また、図９から図１８は、ガイド撮影の動作フロー中に背面ＬＣＤ１０上に表示される画面を例示する図である。なお、図７および図８に示すガイド撮影の動作フローは全体制御部２１１の制御の下で実行される。また、図９から図１８は、一連のパターン撮影を構成する撮影数が３枚である場合を例示している。
【００５１】
以下、図９から図１８を参照しつつ、ガイド撮影の動作フローについて説明する。
【００５２】
まず、図６で示したガイドパターン選択画面を背面ＬＣＤ１０に表示させて、ガイド撮影の撮影パターンが選択されると、ガイド撮影の動作フローが開始し、図７のステップＳ１に進む。
【００５３】
ステップＳ１では、図９に示すようなガイド画像データフォルダの一覧を示す画面を背面ＬＣＤ１０に表示し、ステップＳ２に進む。ここでは、ガイド情報記憶メモリ２２０に記憶されるガイド画像データフォルダのうち、選択された撮影パターンに対応するガイド画像データフォルダの一覧が背面ＬＣＤ１０に表示される。なお、図９では、自動車の種別毎のガイド画像データ群を格納するガイド画像データフォルダの一覧を例示している。
【００５４】
ここでは、ユーザーが、コントロールボタン３５のカーソルボタンＵ、Ｄを操作することによって、図９に示す画面上に表示されるカーソルＫＲ２を上下に移動させ、実行ボタン３２を押下することで、任意のガイド画像データフォルダ（自動車の種別）を選択することができる。つまり、ここでは、コントロールボタン３５が、ユーザーの選択操作に基づいて、複数種類のガイド画像データフォルダ（ガイド画像データ群）のうち、一のガイド画像データフォルダ（ガイド画像データ群）を、一連のパターン撮影を行うために選択する手段として機能する。したがって、複数種類のガイド画像データ群から、一連のパターン撮影を実施するために、任意のガイド画像データ群を選択することができるため、一つの撮像装置で複数種類の一連のパターン撮影を行うことができる。
【００５５】
ステップＳ２では、ガイド画像データフォルダの選択が検出されたか否かを判別する。ここでは、ユーザーによるガイド画像データファイルの選択に基づいて、全体制御部２１１によってガイド画像データフォルダの選択が検出されれば、ステップＳ３に進む。一方、ガイド画像データフォルダの選択が検出されなければ、ステップＳ２の判別を繰り返す。つまり、ユーザーによってガイド画像データファイルが選択されるまで、背面ＬＣＤ１０にガイド画像データフォルダの一覧を示す画面が表示される。
【００５６】
ステップＳ３では、図１０に示すような撮影画像データフォルダの一覧を示す画面を背面ＬＣＤ１０に表示し、ステップＳ４に進む。ここでは、メモリカード８に記憶される撮影画像データフォルダのうち、選択された撮影パターン、およびガイド画像データフォルダ（自動車の種別）に対応する撮影画像データフォルダの一覧が背面ＬＣＤ１０に表示される。なお、図１０では、２つの撮影画像データフォルダ（０９２７００１，０９２７００２）が表示されている。
【００５７】
ここでは、ユーザーが、コントロールボタン３５のカーソルボタンＬ，Ｒを操作することによって、図１０に示す画面上に表示される太枠カーソルＣＲ３を「新規」の表示に合わせ、実行ボタン３２を押下することで、新規撮影を選択することができる。また、ユーザーが、コントロールボタン３５のカーソルボタンＵ，Ｄを操作することによって、図１０に示す画面上に表示されるカーソルＫＲ３を上下に移動させて任意の撮影画像データフォルダに合わせるとともに、コントロールボタン３５のカーソルボタンＬ，Ｒを操作することによって、太枠カーソルＣＲ３を「追加」の表示に合わせ、実行ボタン３２を押下することで、カーソルＫＲ３を合わせた撮影画像データフォルダについての追加撮影を選択することができる。
【００５８】
ステップＳ４では、新たな一連のパターン撮影（以下、「新規撮影」と称する）、および中断していた一連のパターン撮影を再開する撮影（以下、「追加撮影」と称する）のうちのいずれかの選択が検出されたか否かを判別する。ここでは、ユーザーによる新規撮影または追加撮影の選択操作に基づいて、全体制御部２１１によって新規撮影または追加撮影の選択が検出されると、ステップＳ５に進み、新規撮影または追加撮影の選択が検出されなければ、ステップＳ４の判別を繰り返す。
【００５９】
ステップＳ５では、ステップＳ４における全体制御部２１１の検出結果に基づいて、新規撮影および追加撮影のうちいずれが選択されたのかを判別する。ここでは、ユーザーの操作によって、新規撮影が選択されていれば、ステップＳ６に進み、追加撮影が選択されていれば、ステップＳ１０に進む。
【００６０】
まず、ユーザーによって新規撮影が選択された場合について説明する。
【００６１】
ステップＳ６では、図１１に示すようなガイド選択画面を背面ＬＣＤ１０に表示し、ステップＳ７に進む。このガイド選択画面は、一連のパターン撮影に属する複数のガイド画像の一覧を示し、その一覧から所望のガイド画像を、一の撮影のためのライブビュー画像やアフタービュー画像とともに表示するために、選択する画面である。
【００６２】
ガイド選択画面について、具体的に説明する。
【００６３】
図１１に示すように、ガイド画像選択画面では、ユーザーによって選択されたガイド画像データフォルダ（ガイド画像データ群）に属するガイド画像データに基づいたガイド画像の一覧（ガイド画像Ｇ１〜Ｇ３）が背面ＬＣＤ１０の下部に表示される。つまり、撮影対象物についての一連のパターン撮影を行う際に、背面ＬＣＤ１０が、複数のガイド画像データに基づく複数のガイド画像を同時に表示する。よって、ユーザーは、ガイド画像選択画面を視認することによって、複数のガイド画像、対象物の位置、およびユーザー自身の位置等を考慮して、撮影手順等を決定することができる。
【００６４】
また、ガイド画像選択画面上では、ユーザーの操作に基づいて、ガイド画像Ｇ１〜Ｇ３のうちの一のガイド画像に太枠カーソルＣＲ４を選択的に合わせることで、選択されたガイド画像の拡大画像ＳＧが画面の上部に表示される。なお、図１１に示すガイド画像Ｇ１〜Ｇ３は、撮影の構図を案内するようなモデル（例えば、撮影対象物についての撮影例やグラフィックス等の見本）を示す画像となっている。
【００６５】
ステップＳ７では、ガイド画像選択画面の表示態様を切り替える旨の指示（表示切替指示）を検出したか否かを判別する。ここでは、全体制御部２１１が、ユーザーによる表示切替ボタン３８の押下操作に基づく表示切替指示があったか否かを検出する。よって、ステップＳ７では、全体制御部２１１によって表示切替指示が検出されれば、ステップＳ８に進み、表示切替指示が検出されなければ、ステップＳ９に進む。
【００６６】
ステップＳ８では、背面ＬＣＤ１０に表示されるガイド画像選択画面の表示態様を変更し、ステップＳ９に進む。図１２は、ガイド画像選択画面の表示態様を変更した後の画面（以下、「変更後ガイド画像選択画面」と称する）を例示する図である。図１２に示すように、変更後ガイド画像選択画面では、その下部にガイド画像の一覧（ガイド画像Ｇ１〜Ｇ３）が表示される。さらに、ガイド画像Ｇ１〜Ｇ３のそれぞれの上側に、ガイド画像Ｇ１〜Ｇ３のそれぞれに対応する撮影画像Ｐ１〜Ｐ３が表示される。なお、ガイド画像Ｇ１〜Ｇ３のそれぞれに対応する撮影画像とは、ガイド画像Ｇ１〜Ｇ３に従ってそれぞれ取得されたものを言う。なお、図１２では、撮影画像を取得していない新規撮影の初期における変更後ガイド画像選択画面を示しているため、撮影画像Ｐ１〜Ｐ３を空白で示している。
【００６７】
また、ステップＳ８では、変更後ガイド画像選択画面が背面ＬＣＤ１０に元々表示されている場合には、変更後ガイド画像選択画面から図１１に示すガイド画像選択画面に画面の表示態様を変更する。よって、ユーザーは、表示切替ボタン３８を操作することにより、図１１および図１２に示す画面とを相互に切り替えることによって、ガイド画像選択画面の表示態様を変更させながら、ガイド画像の選択を行うことができる。
【００６８】
そして、ユーザーが、コントロールボタン３５のカーソルボタンＬ，Ｒを操作することによって、図１１および図１２に示す太枠カーソルＣＲ４，ＣＲ５を所望のガイド画像に合わせ、実行ボタン３２を押下することで、一のガイド画像をライブビュー画像等とともに表示するガイド画像として選択することができる。つまり、コントロールボタン３５が、図１１および図１２のように背面ＬＣＤ１０によって同時に表示される複数のガイド画像Ｇ１〜Ｇ３のうち、ユーザーの操作に基づいて一のガイド画像を選択し、一のガイド画像を、図１１および図１２のようなガイド画像Ｇ１〜Ｇ３の同時表示とは異なる形式（例えば、ライブビュー画像等とともに表示する形式）で背面ＬＣＤ１０に表示させる手段として機能する。
【００６９】
ステップＳ９では、ガイド画像選択画面から一のガイド画像の選択を検出したか否かを判別する。ここでは、ユーザーの操作によるガイド画像の選択に基づいて、全体制御部２１１によってガイド画像の選択が検出されれば、図８のステップＳ１１に進み、ガイド画像の選択が検出されなければ、ステップＳ７に戻る。つまり、ユーザーがガイド画像を選択するまで、ステップＳ７からステップＳ９の判別が繰り返される。
【００７０】
ステップＳ１１では、ライブビュー画像を背面ＬＣＤ１０に表示し、ステップＳ１２に進む。図１３は、背面ＬＣＤ１０に表示されるライブビュー画像を例示する図である。
【００７１】
ステップＳ１２では、ライブビュー画像を表示する画面の表示態様を切り替える旨の指示（表示切替指示）を検出したか否かを判別する。ここでは、全体制御部２１１よって、ユーザーによる表示切替ボタン３８の押下操作に基づく表示切替指示が検出されれば、ステップＳ１３に進み、表示切替指示が検出されなければ、ステップＳ１４に進む。
【００７２】
ステップＳ１３では、ライブビュー画像の表示画面におけるガイド画像の有無を切り替えることによって、画面の表示態様を変更して、ステップＳ１４に進む。図１４は、ライブビュー画像を表示する画面の表示態様を変更して、左下にガイド画像Ｇ１の表示を付加した画面（以下、「ガイド画像付きライブビュー画面」と称する）を例示する図である。なお、図１４では、図１１または図１２に示す画面上においてユーザーの操作に基づいて選択されたガイド画像Ｇ１が表示されている。つまり、ここでは、ユーザーによって選択された撮影対象物についての一の撮影の際に、背面ＬＣＤ１０が、複数のガイド画像のうち、一の撮影に対応する特定のガイド画像とライブビュー画像とを同時に表示する。よって、ガイド画像とライブビュー画像とを見比べることができるため、撮影時における構図の決定等を容易に実施することができる。
【００７３】
また、ステップＳ１３では、背面ＬＣＤ１０にガイド画像付きライブビュー画面が元々表示されている場合には、ガイド画像付きライブビュー画面から図１３に示すライブビュー画像を表示する画面に変更する。
【００７４】
ステップＳ１４では、撮影指示が検出されたか否かを判別する。ここでは、ユーザーがシャッターボタン９を全押しすることで、全体制御部２１１が、本撮影を開始する旨の指示（撮影指示）を検出することができる。よって、ステップＳ１４では、全体制御部２１１によって、ユーザーによるシャッターボタン９の押下操作に基づく撮影指示が検出されれば、ステップＳ１５に進み、撮影指示が検出されなければ、ステップＳ１２に戻る。そして、全体制御部２１１によって撮影指示が検出されるまで、ステップＳ１２からステップＳ１４の判別が繰り返される。
【００７５】
ステップＳ１５では、本撮影の撮影動作を行い、ステップＳ１６に進む。ここでは、ＣＣＤ３０３で取得される撮影画像データが画像メモリ２０９に一時的に格納される。
【００７６】
ステップＳ１６では、画像メモリ２０９に格納される撮影画像データに基づいて、アフタービュー画像を背面ＬＣＤ１０に表示し、ステップＳ１７に進む。ここでは、例えば、図１５に示すように、アフタービュー画像ＡＶとともに、背面ＬＣＤ１０の左下にガイド画像Ｇ１が表示された画面（以下、「アフタービュー表示画面」と称する）が背面ＬＣＤ１０に表示される。つまり、ここでは、ユーザーによって選択された撮影対象物についての一の撮影の際に、背面ＬＣＤ１０が、複数のガイド画像のうち一の撮影に対応する特定のガイド画像とアフタービュー画像とを同時に表示する。よって、撮影画像（アフタービュー画像）とガイド画像との比較等を容易に実施することができる。
【００７７】
ここでは、ユーザーが、コントロールボタン３５のカーソルボタンＬ，Ｒを操作することによって、図１５に示す画面上に表示される太枠カーソルＣＲ６を「ＯＫ」の表示に合わせ、実行ボタン３２を押下すると、画像メモリ２０９に一時的に記憶される撮影画像データをメモリカード８に記憶して、一の撮影を完了させることができる。つまり、コントロールボタン３５が、背面ＬＣＤ１０によるアフタービュー画像の表示中に、ユーザーの指示操作に基づいて、一の撮影の完了を指示する手段として機能する。
【００７８】
一方、ユーザーが、太枠カーソルＣＲ６を「キャンセル」の表示に合わせ、実行ボタン３２を押下すると、画像メモリ２０９に一時的に記憶される撮影画像データを消去し、撮り直しを行うことができる。つまり、コントロールボタン３５が、背面ＬＣＤ１０によるアフタービュー画像の表示時に、ユーザーの選択操作によって、アフタービュー画像に係る撮影画像データを画像メモリ２０９から消去する手段として機能する。そして、ここでは、ユーザーは、ガイド画像とアフタービュー画像とを見比べることで、撮影の完了と撮り直しのいずれかを選択することができる。
【００７９】
ステップＳ１７では、ユーザーによって、撮影の完了と撮り直しのいずれが選択されたのかを判別する。ここでは、ユーザーによる選択結果に基づいて、全体制御部２１１が、撮影の完了が選択されたと検出すると、ステップＳ１８に進み、撮り直しが選択されたと検出すると、ステップＳ１１に戻る。なお、ステップＳ１７からステップＳ１１に戻った場合は、背面ＬＣＤ１０には、図１４に示すようなガイド画像付きライブビュー画面が表示される。つまり、ユーザーによるコントロールボタン３５の選択操作により、画像メモリ２０９に一時的に記憶された撮影画像データが消去され、背面ＬＣＤ１０が、撮り直しをする一の撮影に対応する特定のガイド画像をライブビュー画像と同時に表示する。言い換えれば、背面ＬＣＤ１０がアフタービュー画像を表示している際に、撮影画像データの消去を選択することで、消去した撮影画像データに係る一の撮影に対応するガイド画像をライブビュー画像とともに表示する。よって、撮り直しを選択すると、自動的に撮り直しに係る特定のガイド画像が表示されるため、ユーザーは取り直しを容易に実施することができる。
【００８０】
ステップＳ１８では、画像メモリ２０９に一時的に記憶された撮影画像データをメモリカード８に記憶する記憶処理が行われ、ステップＳ１９に進む。
【００８１】
ステップＳ１９では、図１６に示すようなガイド画像選択画面を背面ＬＣＤ１０に表示し、ステップＳ２０に進む。つまり、ユーザーの操作に従ったコントロールボタン３５よる一の撮影の完了の指示に基づいて、背面ＬＣＤ１０が、複数のガイド画像を同時に表示するガイド画像選択画面を表示する。このように、一の撮影の完了後ただちにガイド画像選択画面が表示されるため、順次にガイド画像を容易に選択でき、その結果、一連のパターン撮影を容易に実施することができる。
【００８２】
図１６には、完了した撮影に対応するガイド画像の表示態様が変更されたガイド画像選択画面を例示している。ここでは、既に完了した撮影に対応するガイド画像が、低輝度で表示され、他のガイド画像と一目で区別可能な態様で表示される。つまり、ここでは、一連のパターン撮影のうちの完了した撮影に対応するガイド画像の表示態様を変更するため、一連のパターン撮影のうちのどの撮影が撮影済みであるかを一目で容易に判断することができる。なお、図１６では、ガイド画像Ｇ１が、完了した撮影に対応するガイド画像として、低輝度で表示されている。
【００８３】
ステップＳ２０では、ユーザーによって、終了ボタン３９が押下されたか否かを判別する。ここでは、全体制御部２１１が、終了ボタン３９の押下を検出すると、ステップＳ２１に進み、終了ボタン３９の押下を所定時間検出しなければ、図７のステップＳ６に戻る。
【００８４】
ステップＳ６に戻った場合は、ユーザーは、表示切替ボタン３８を操作することにより、図１６および図１７に示す画面とを切り替えることによって、ガイド画像選択画面の表示態様を変更させながら、ガイド画像の選択を行うことができる。なお、図１７では、図１６と同様に、ガイド画像Ｇ１が、完了した撮影に対応するガイド画像として低輝度で表示されている。なお、ユーザーは、コントロールボタン３５のカーソルボタンＬ，Ｒを操作することによって、図１６および図１７に示す太枠カーソルＣＲ１４，ＣＲ１５を所望のガイド画像に合わせ、実行ボタン３２を押下することで、一のガイド画像を選択することができる。
【００８５】
ステップＳ２１では、撮影画像データフォルダの作成または更新を行い、その旨をメッセージを背面ＬＣＤ１０に表示し、ステップＳ２２に進む。図１８は、撮影画像データフォルダの作成メッセージが表示された画面を例示する図である。例えば、図１８に示すように、メモリカード８内にフォルダ名が０９２７００３である撮影画像データフォルダを作成し、フォルダの作成メッセージＭ１が、撮影画像データフォルダの一覧を示す画面上に表示される。そして、ここでは、一連のパターン撮影によって取得される一連の撮影画像データは、一つの撮影画像データフォルダ（例えば、フォルダ名が０９２７００３である撮影画像データフォルダ）内に格納される。
【００８６】
つまり、メモリカード８が、一連のパターン撮影によって取得される一連の撮影画像データを、一つの撮影画像データフォルダ内に撮影画像データの一群（一つの撮影画像データ群）として外部から認識可能に記憶する。このように、一連のパターン撮影によって得られる一連の撮影画像データを一つのデータ群として外部から認識可能に記憶することによって、ユーザーは、一連のパターン撮影によって得られる一連の撮影画像データを容易に管理することができる。特に、一連のパターン撮影によって得られる一連の撮影画像データを、一連の撮影画像データ毎に一つのフォルダ内に記憶することによって、一連のパターン撮影によって得られる一連の撮影画像データをさらに簡単に管理することができる。
【００８７】
ステップＳ２２では、ユーザーによって、終了ボタン３９が押下されたか否かを判別する。ここでは、全体制御部２１１が、終了ボタン３９の押下を検出すると、ガイド撮影の動作フローの初め、即ち、ステップＳ１に戻り、終了ボタン３９の押下を所定時間検出しなければ、図７のステップＳ３に戻る。
【００８８】
次に、ステップＳ５からステップＳ１０に進んだ場合、すなわち、ユーザーによって追加撮影が選択された場合について説明する。
【００８９】
ステップＳ１０では、ステップＳ３において図１０に示す画面上でカーソルＫＲ３を合わせて追加撮影の対象として選択された撮影画像データフォルダを指定し、図８のステップＳ１９に進む。追加撮影では、一連のパターン撮影のうち、既に完了した撮影を含んでいるため、ステップＳ１９では、例えば、図１６に示すように、完了した撮影に対応するガイド画像は、低輝度で表示され、完了していない撮影に対応するガイド画像と一目で区別可能な態様で表示される。その後の動作フローについては、上述したものと同様となるため、説明を省略する。
【００９０】
なお、上述したガイド撮影の動作フロー中に、メニューボタン３７が押下されると、ガイド撮影の動作フローを中止して、図６で示したガイドパターン選択画面が背面ＬＣＤ１０に表示される。
【００９１】
以上のように、第１実施形態に係る撮像装置１では、一連のパターン撮影を実行するガイド撮影において、一連のパターン撮影に属する複数個のガイド画像を背面ＬＣＤ１０に同時に表示する。その結果、撮影手順等を容易に決定することができるため、所定の複数の撮影を含む一連のパターン撮影を容易かつ効率良く実施することができる。
【００９２】
また、ユーザーの操作に基づいて、一連のパターン撮影に属する一の撮影を行うために、ガイド画像選択画面や変更後ガイド画像選択画面にて同時に表示される複数個のガイド画像から、任意のガイド画像を選択して、複数のガイド画像の同時表示とは異なる表示形式（ライブビュー画像等とともに表示させる形式）で表示させる。よって、撮影手順等を決定して、撮影し易いところから一連のパターン撮影を開始したりすること等ができる。その結果、所定の複数の撮影を含む一連の撮影を容易に効率良く実施することができ、撮像装置の使い勝手を良くすることができる。
【００９３】
＜２．第２実施形態＞
上述した第１実施形態に係る撮像装置１では、図１１等で示したように、ガイド画像は、例えば、構図を案内するモデル（例えば、撮影例やグラフィックス）を示したものであり、また、撮影前に、図１４で示したガイド画像付きライブビュー画面を背面ＬＣＤ１０に表示させて、ガイド画像とライブビュー画像とを見比べながら撮影を行い、さらに、撮影後には、図１５で示したアフタービュー表示画面を背面ＬＣＤ１０に表示させて、ガイド画像とアフタービュー画像とを見比べながら撮影の完了および撮り直しを選択したが、第２実施形態に係る撮像装置１Ａでは、ガイド画像、ガイド画像付きライブビュー画面、およびアフタービュー表示画面の態様が、第１実施形態とは異なる。
【００９４】
第２実施形態に係る撮像装置１Ａでは、ガイド画像、ガイド画像付きライブビュー画面、およびアフタービュー表示画面の態様が、第１実施形態に係る撮像装置１と異なるものの、撮像装置１Ａの外観、機能構成、および動作フロー等は、第１実施形態に係る撮像装置１とほぼ同様となるため、同様となる部分については同様な符合を付して説明を省略し、異なる部分について以下説明する。
【００９５】
図１９は、背面ＬＣＤ１０に表示される第２実施形態に係るガイド画像選択画面を例示する図である。図１９に示されるガイド画像選択画面は、図１１で示したガイド画像選択画面と比較して、ガイド画像の内容が異なるのみで、その他ガイド画像Ｇ１１〜Ｇ１３の表示配列等は同様となっている。そして、図１９に示すガイド画像選択画面では、各ガイド画像は、単に、構図を案内するようなモデルだけではなく、さらに、そのモデルのうちポイントとなる位置を線によって示す画像（以下、「ガイド線画像」と称する）ＧＬ１〜ＧＬ３がモデルと重畳したものとなっている。つまり、ここでは、ガイド画像が、線によって描かれるガイド線画像を含んだものとなる。
【００９６】
また、第２実施形態に係る撮像装置１では、その他、第１実施形態に係る撮像装置１でガイド画像が表示された図１２、および図１５〜図１７に示す画面に対応する画面についても、図１９で示すように、ガイド線画像が重畳して表示されたものとなる。
【００９７】
図２０は、背面ＬＣＤ１０に表示されるガイド画像付きライブビュー画面を例示する図である。図２０に示されるガイド画像付きライブビュー画面は、図１３に示されるような通常のライブビュー画像上に、ガイド線画像ＧＬ１が重畳したものとなっている。つまり、背面ＬＣＤ１０が、一連のパターン撮影に属する一の撮影の際に、ライブビュー画像と、当該一の撮影に対応する特定のガイド画像（ガイド線画像）とを重畳させて表示する。
【００９８】
図２１は、背面ＬＣＤ１０に表示されるアフタービュー表示画面を例示する図である。図２１で示されるアフタービュー表示画面は、図１５で示される画面上のガイド画像およびアフタービュー画像のそれぞれにガイド線画像ＧＬ１が重畳したものとなっている。つまり、背面ＬＣＤ１０が、一連のパターン撮影に属する一の撮影の際に、アフタービュー画像と、当該一の撮影に対応する特定のガイド画像（ガイド線画像）とを重畳させて表示する。
【００９９】
以上、第２実施形態に係る撮像装置１Ａでは、ガイド撮影において、ライブビュー画像やアフタービュー画像と、ガイド画像とを重畳させて表示する。その結果、撮影時の構図の決定や、撮影画像とガイド画像との比較等をさらに容易に実施することができるため、ガイド画像に従った一連のパターン撮影を正確に実施することができる。
【０１００】
＜３．変形例＞
以上、この発明の実施形態について説明したが、この発明は上記説明した内容のものに限定されるものではない。
【０１０１】
◎例えば、上述した第２実施形態では、ガイド画像は、ガイド線画像を含んだものであったが、これに限られるものではなく、例えば、点線等の点によって描かれる画像（以下、「ガイド点画像」と称する）を含むものであっても良い。この場合、ガイド画像がガイド線画像およびガイド点画像の双方を含むものでも良い。なお、ガイド画像がガイド線画像やガイド点画像等の幾何学的要素すなわちイラスト要素で主に構成されるようにすることによって、ガイド画像に係るデータ量を少なくすることができる。
【０１０２】
◎また、上述した第２実施形態では、ガイド画像付きライブビュー画面において、ライブビュー画像とガイド線画像とが重畳されて表示されるが、これに限られるものではなく、例えば、ユーザーのボタン操作に基づいて、背面ＬＣＤ１０に表示されるガイド画像付きライブビュー画面が、図１４および図２０に示されるガイド画像付きライブビュー画面との間で切り替わるようなものであっても良い。
【０１０３】
◎また、上述した第２実施形態では、アフタービュー表示画面において、アフタービュー画像とガイド線画像とが重畳されて表示されるが、これに限られるものではなく、例えば、ユーザーのボタン操作に基づいて、背面ＬＣＤ１０に表示されるアフタービュー表示画面が、図１５および図２１に示されるアフタービュー表示画面との間で切り替わるようなものであっても良い。
【０１０４】
◎また、上述した実施形態では、ガイド画像データ群をガイド情報記憶メモリ２２０に記憶したが、これに限られるものではなく、例えば、ガイド画像データ群をメモリカード８に記憶するようにしても良い。つまり、ガイド画像データ群を記憶する記憶媒体を撮像装置１に対して着脱可能な記憶媒体としても良い。このような構成とした場合、撮像装置１に対して異なるガイド画像データ群を記憶するメモリカードを装着することによって、ガイド画像データ群の交換を容易に実施することができる。また、メモリカード８等は撮像装置１と比較して、小型かつ軽量であるため、ガイド画像データ群を記憶した記憶媒体を容易に運搬することができる。また、ガイド画像データ群を、メモリカード８からガイド情報記憶メモリ２２０に書き込み可能としたり、外部のパーソナルコンピュータから書き込み可能としても良い。
【０１０５】
◎また、上述した実施形態では、ガイド画像選択画面に３つのガイド画像が同時に表示されるものを例示して説明したが、これに限られるものではなく、例えば、４つ以上のガイド画像がガイド画像選択画面に同時に表示されるものであっても良い。なお、例えば、一つのガイド画像データ群に４つ以上のガイド画像が属する場合に、ガイド画像選択画面に同時に表示されるガイド画像の数を３つとし、ユーザーによるコントロールボタン３５の操作によって、画面上に表示されるガイド画像を左右にスクロールさせながら、順次に３つずつのガイド画像を表示することで、全てのガイド画像を表示することができるようにしても良い。
【０１０６】
◎また、上述した実施形態では、ガイド撮影における各画面が背面ＬＣＤ１０に表示されるものとして説明したがこれに限られるものではなく、例えば、ガイド撮影における各画面がＥＶＦ２０に表示されるようなものであっても良い。
【０１０７】
◎また、上述した実施形態では、ガイド画像とライブビュー画像とを背面ＬＣＤ１０に同時に表示したが、これに限られるものではなく、例えば、背面ＬＣＤ１０にガイド画像を表示する一方、ＥＶＦ２０にライブビュー画像を表示するようにしても良い。このような構成とすることによって、ガイド画像によって、ライブビュー画像の表示が邪魔されることがないため、双方の画像の全体を見比べながらガイド撮影を行うことができる。なお、ガイド画像とアフタービュー画像とをそれぞれ、背面ＬＣＤ１０およびＥＶＦ２０に表示することもできる。
【０１０８】
◎また、上述した第２実施形態では、ガイド線画像と、ライブビュー画像またはアフタービュー画像とが重畳されて表示されたが、これに限られるものではなく、例えば、構図を案内するようなモデルを示す画像が半透明で表示され、その半透明の表示とライブビュー画像またはアフタービュー画像とが重畳されて表示されるようなものであっても良い。このような構成とすることによって、撮影時の構図の決定や、撮影画像とガイド画像との比較等を極めて容易に実施することができるため、ガイド画像に従った一連のパターン撮影をより正確に実施することができる。
【０１０９】
◎また、上述した実施形態では、撮影の対象物が自動車であったが、これに限られるものではなく、例えば、建築物やその他のものが撮影の対象物であっても良い。
【０１１０】
◎上述した具体的実施形態には以下の構成を有する発明が含まれている。
【０１１１】
（１）  請求項３に記載の撮像装置であって、前記表示手段が、前記一の撮影の際に、前記ライブビュー画像、または前記確認用アフタービュー画像と、前記一の撮影に対応する前記特定のガイド画像とを重畳させて表示することを特徴とする撮像装置。
【０１１２】
（１）の発明によれば、ライブビュー画像やアフタービュー画像と、ガイド画像とを重畳させて表示することによって、撮影時の構図の決定や、撮影画像とガイド画像との比較等をさらに容易に実施することができるため、ガイド画像に従った一連の撮影を正確に実施することができる。
【０１１３】
（２）  請求項３または（１）に記載の撮像装置であって、前記表示手段による前記確認用アフタービュー画像の表示時に、ユーザーの選択操作によって前記確認用アフタービュー画像に係る撮影画像データを消去する消去手段、をさらに備え、前記表示手段が、前記消去手段による前記撮影画像データの消去に基づいて、前記一の撮影に対応する前記特定のガイド画像を表示することを特徴とする撮像装置。
【０１１４】
（２）の発明によれば、アフタービュー画像を表示している際に、撮影画像データの消去を選択することで、消去した撮影画像データに係る一の撮影に対応するガイド画像を表示するため、取り直しを容易に実施することができる。
【０１１５】
（３）  請求項３、（１）および（２）のいずれかに記載の撮像装置であって、前記表示手段による前記確認用アフター画像の表示中に、ユーザーの指示操作に基づいて前記一の撮影の完了を指示する完了指示手段、をさらに備え、前記表示手段が、前記完了指示手段による前記一の撮影の完了の指示に基づいて、前記ガイド画像データ群に対応した複数のガイド画像を同時に表示することを特徴とする撮像装置。
【０１１６】
（３）の発明によれば、一連のパターン撮影のうちの一の撮影についてアフタービューが表示されている際に、その一の撮影の完了を指示すると、一連のパターン撮影を続行するためにガイド画像を複数個同時に表示するため、一連のパターン撮影を容易に実施することができる。
【０１１７】
（４）  請求項１から請求項４、（１）から（３）のいずれかに記載の撮像装置であって、前記一連のパターン撮影によって取得される一連の撮影画像データを、一つの撮影画像データ群として外部から認識可能に記憶する撮影画像記憶手段、をさらに備えることを特徴とする撮像装置。
【０１１８】
（４）の発明によれば、一連のパターン撮影によって得られる一連の撮影画像データを一つのデータ群として外部から認識可能に記憶するため、一連のパターン撮影によって得られる一連の撮影画像データを容易に管理することができる。
【０１１９】
（５）  （４）に記載の撮像装置であって、前記撮影画像記憶手段が、前記撮影画像データ群を、前記撮影画像データ群毎に、１つのフォルダ内に記憶することを特徴とする撮像装置。
【０１２０】
（５）の発明によれば、一連のパターン撮影によって得られる一連の撮影画像データを、一連の撮影画像データ毎に、一つのフォルダ内に記憶するため、一連のパターン撮影によって得られる一連の撮影画像データをより簡単に管理することができる。
【０１２１】
（６）  請求項１から請求項４、および（１）から（５）のいずれかに記載された撮像装置であって、前記複数のガイド画像が、イラスト要素を用いて表現されていることを特徴とする撮像装置。
【０１２２】
（６）の発明によれば、ガイド画像が線や点等のイラスト要素によって構成されることにより、ガイド画像に係るデータ量を少なくすることができる。
【０１２３】
（７）  請求項１から請求項４、および（１）から（６）のいずれかに記載された撮像装置であって、前記表示手段が、前記一連のパターン撮影のうちの完了した撮影に対応するガイド画像の表示態様を変更することを特徴とする撮像装置。
【０１２４】
（７）の発明によれば、一連のパターン撮影のうち、撮影済みの撮影に対応するガイド画像の表示態様を変更するため、一連のパターン撮影のうちのどの撮影が撮影済みであるかを容易に判断することができる。
【０１２５】
（８）  請求項１から請求項４、および（１）から（７）のいずれかに記載の撮像装置であって、前記記憶手段が、前記撮影装置に対して着脱可能な記憶媒体であることを特徴とする撮像装置。
【０１２６】
（８）の発明によれば、一連のパターン撮影についてのガイド画像データ群を記憶する記憶媒体が、撮像装置に対して着脱可能であるため、ガイド画像データ群の交換や運搬等を容易に実施することができる。
【０１２７】
【発明の効果】
以上説明したように、請求項１の発明によれば、一連のパターン撮影を行う際、撮影毎に構図等を案内するガイド画像を複数個同時に表示することによって、撮影手順等を決定することができ、所定の複数の撮影を含む一連の撮影を容易かつ効率良く実施することができる撮像装置を提供することができる。
【０１２８】
また、請求項２の発明によれば、一の撮影を行うために、同時に表示される複数個のガイド画像から、ユーザーの操作に基づいて任意のガイド画像を選択して複数のガイド画像の同時表示とは異なる表示形式で表示させるため、撮影手順等を決定して、撮影し易いところから一連の撮影を開始したりすること等ができるため、所定の複数の撮影を含む一連の撮影を容易に効率良く実施することができる。
【０１２９】
また、請求項３の発明によれば、ライブビュー画像やアフタービュー画像と、対応するガイド画像とを同時に表示するため、撮影時における構図の決定や、撮影画像とガイド画像との比較等を容易に実施することができる。
【０１３０】
また、請求項４の発明によれば、複数のガイド画像データ群から、一連のパターン撮影を実施するために、任意のガイド画像データ群を選択することができるため、一つの撮像装置で複数の一連のパターン撮影を行うことができる。
【０１３１】
また、請求項５の発明によれば、請求項１から請求項４の発明による効果と同様な効果を奏することができる。
【図面の簡単な説明】
【図１】第１実施形態に係る撮像装置の正面図である。
【図２】第１実施形態に係る撮像装置の上面図である。
【図３】第１実施形態に係る撮像装置の背面図である。
【図４】撮像装置の機能構成を示すブロック図である。
【図５】メモリカード内の記憶内容を例示する図である。
【図６】ガイド撮影の撮影パターンの選択画面を例示する図である。
【図７】ガイド撮影の動作フローを例示するフローチャートである。
【図８】ガイド撮影の動作フローを例示するフローチャートである。
【図９】ガイド画像データフォルダの一覧を示す画面を例示する図である。
【図１０】撮影画像データフォルダの一覧を示す画面を例示する図である。
【図１１】ガイド画像選択画面を例示する図である。
【図１２】変更後のガイド画像選択画面を例示する図である。
【図１３】ライブビュー画像を例示する図である。
【図１４】ガイド画像付きのライブビュー画像を表示する画面を例示する図である。
【図１５】ガイド画像付きのアフタービュー画像を表示する画面を例示する図である。
【図１６】撮影済みのガイド画像の表示態様が変更されたガイド画像選択画面を例示する図である。
【図１７】表示態様が変更されたガイド画像選択画面を例示する図である。
【図１８】フォルダを作成した旨を表示する画面を例示する図である。
【図１９】第２実施形態に係るガイド画像選択画面を例示する図である。
【図２０】第２実施形態に係るガイド付きライブビュー画面を例示する図である。
【図２１】第２実施形態に係るアフタービュー表示画面を例示する図である。
【符号の説明】
１  撮像装置
８  メモリカード（撮影画像記憶手段）
１０  背面ＬＣＤ（表示手段）
２０  ＥＶＦ（表示手段）
３５  コントロールボタン（選択手段、消去手段、完了指示手段、データ群選択手段）
２０９  画像メモリ
２１１  全体制御部
２２０  ガイド情報記憶メモリ（記憶手段）
【図１】
2004215157.tif 000003
【図２】
2004215157.tif 000004
【図３】
2004215157.tif 000005
【図４】
2004215157.tif 000006
【図５】
2004215157.tif 000007
【図６】
2004215157.tif 000008
【図７】
2004215157.tif 000009
【図８】
2004215157.tif 000010
【図９】
2004215157.tif 000011
【図１０】
2004215157.tif 000012
【図１１】
2004215157.tif 000013
【図１２】
2004215157.tif 000014
【図１３】
2004215157.tif 000015
【図１４】
2004215157.tif 000016
【図１５】
2004215157.tif 000017
【図１６】
2004215157.tif 000018
【図１７】
2004215157.tif 000019
【図１８】
2004215157.tif 000020
【図１９】
2004215157.tif 000021
【図２０】
2004215157.tif 000022
【図２１】
2004215157.tif 000023